(57)【要約】【課題】  球面体からなる回転体を利用してゴルフ練習台の傾斜角度を出す装置において、その練習台の傾斜および固定する手段を手動可能な簡単な機構とすることで、低コストのゴルフ練習台装置を提供する。【解決手段】  下部フレーム２を有する台盤３と、台盤３の中央から立ち上がる環状配置の支持枠４と、環状配置の支持枠４の上端に下端を係止した環状バンドブレーキ８と、環状バンドブレーキ８の内面に最大径部２１を対面させた球面体２０と、球面体２０の下面を滑動状に載置する支台１８と、球面体２０の上面に固着した上部フレーム２４を有する練習台２５とからなり、環状バンドブレーキ８の縦方向挟持具２７を環状バンドブレーキ８の一側部に配設して環状バンドブレーキ８の緊締具２６とした傾斜自在のゴルフ練習台装置１。【選択図】      図２
2005278731.tif 000002
【特許請求の範囲】
【請求項１】
下部フレームを有する台盤と、台盤の中央から立ち上がる環状配置の支持枠と、環状配置の支持枠上端に下端を係止した水平方向の環状バンドブレーキと、環状バンドブレーキ内面に対面させて水平方向の最大径部を配置した球面体と球面体の下面を滑動状に載置する上部が凹球面からなる支台と、該球面体の上面に固着した上部フレームに支持された練習台とを有し、環状バンドブレーキの緊締具を環状バンドブレーキの一側部に配設していることを特徴とする傾斜自在のゴルフ練習台装置。
【請求項２】
環状バンドブレーキは２個の半環状鋼板の突き合わせ体からなる環状鋼板とその内側のブレーキライニングパッドから形成し、該環状鋼板の２個の半環状鋼板の一端を蝶番により曲折自在に接合し、２個の半環状鋼板のそれぞれの他端に左右に離間して半環状鋼板から遠心方向に延びる棒鋼を設け、一方、台盤上に上部が左右に離れ下方が互いに近接する２条の縦方向の長孔を左右端部側に形成した縦方向挟着具を配設し、該左右の棒鋼の先端を該縦方向挟着具の２条の長孔にそれぞれ１本ずつ挿通し、該縦方向挟着具を上下動する支桿を台盤に配設して環状バンドブレーキの緊締具としたことを特徴とする請求項１に記載の傾斜自在のゴルフ練習台装置。
【発明の詳細な説明】
【技術分野】
【０００１】
本発明はゴルフコースの起伏を想定した傾斜面における練習を可能とするゴルフ練習台装置に関する。
【背景技術】
【０００２】
従来、ゴルフの練習、例えばスウィングの仕方やスタンスの取り方などの練習は、ゴルフ場のコースで練習するのが最も相応しい。しかし、アマチュアが自由にコースを使用して練習することはできない。そこでゴルフ練習場で平地を想定した打ちっぱなしの練習が基本となる。しかし、実際のゴルフコースは起伏に富んでいるので、基本の平地での打ちっぱなし練習あるいはグリーンのアプローチ練習の他に、種々の斜面角度の傾斜面の足場におけるショットの練習が欠かせない。しかしアマチュアがゴルフ場の実際の斜面で練習することは上記したように自由にできない。そこで、このような斜面角度の傾斜面でのショットの練習の足場を容易に形成することができる種々のゴルフ練習台装置が開発されている。
【０００３】
このような装置として、球面体を回転体に利用することであらゆる方位の傾斜角度を出すことのできる装置が開発されて種々のものがある。例えば、スタンスプレートの球体部を筒状体の上面開口部の嵌合制動面に載置し、スタンスプレートを一定の傾斜面に定めると球体部に下方から筒状体の上面開口部の嵌合制動面を押し付けて回転を固定するゴルフ練習台がある（例えば、特許文献１参照。）。また、球面ドーム状の上に練習台本体を有する球面小皿体を重ねて可動とし、練習台本体の傾斜角度が決まると球面小皿体を螺杆でねじ締めして挟着固定するゴルフ練習台がある（例えば、特許文献２参照。）。さらに球殻の略中心に一端が揺動自在に支持され、球殻野内部に設置されたシリンダー装置と、球殻の貫通孔から突出するシリンダー装置の他端が取り付けられた平板状の打席板と、打席板の裏面に基端部が固定された先端が球殻の外表面に当接する受板とを備え、シリンダーを縮めることで受板の先端を球殻の外表面を押圧することにより打席板の傾動を固定する打席板傾動装置からなるゴルフ練習機がある。（例えば、特許文献３参照。）。
【０００４】
しかしながら、これらの装置は、いずれも練習台の傾斜角度を定めるに球面体の回転を固定するための機構が複雑でコストのかかるものである。
【０００５】
【特許文献１】実開平０１−１８０２７２
【特許文献２】特開昭５７−２１１３７０
【特許文献３】実開平０４−１１７９７１
【発明の開示】
【発明が解決しようとする課題】
【０００６】
本発明が解決しようとする課題は、球面体からなる回転体を利用してゴルフ練習台の傾斜角度を出す装置において、その練習台の傾斜を固定する手段を手動で簡単な機構としてコストの掛からないゴルフ練習台装置を提供することである。
【課題を解決するための手段】
【０００７】
上記の課題を解決するための本発明の手段は、下部フレーム２を有する台盤３と、台盤３の中央から立ち上がる環状配置の支持枠４と、環状配置の支持枠４上端に下端を係止した水平方向の環状バンドブレーキ８と、環状バンドブレーキ８内面に対面させて水平方向の最大径部２１を配置した球面体２０と球面体２０の下面２２を滑動状に載置する上部が凹球面２０からなる支台１８と、該球面体２０の上面２３に固着した上部フレーム２４に支持された練習台２５とを有し、環状バンドブレーキ８の緊締具２６を環状バンドブレーキ８の一側部に配設していることを特徴とする傾斜自在のゴルフ練習台装置１である。
【０００８】
さらに上記において、環状バンドブレーキ８は２個の半環状鋼板９の突き合わせ体からなる環状鋼板１０とその内側のブレーキライニングパッド１１から形成し、該環状鋼板１０の２個の半環状鋼板９、９の一端１６を蝶番１５により曲折自在に接合し、２個の半環状鋼板９、９のそれぞれの他端１７に左右に離間して半環状鋼板９から遠心方向に延びる棒鋼１２を設け、一方、台盤３上に上部が左右に離れ下部が互いに近接する２条の縦方向の長孔２８、２８を左右端部側に形成した縦方向挟着具２７を配設し、該左右の棒鋼１２、１２の先端を該縦方向挟着具２７の２条の長孔２８、２８にそれぞれ１本ずつ挿通し、該縦方向挟着具２７を上下動する支桿３０を台盤３に配設して環状バンドブレーキ８の一側部の緊締具２６としたことを特徴とする傾斜自在のゴルフ練習台装置１である。
【発明の効果】
【０００９】
本発明の傾斜面を想定したゴルフの練習を可能とする傾斜自在のゴルフ練習台装置は、下部フレームを有する台盤の中央に環状配置した支持枠にバンドブレーキを配設し、回転自在に載置した球面体の最大径部に当接する環状バンドブレーキを配設し、台盤の中央に球面体の下面を滑動状に載置する支台を設け、環状バンドブレーキで球面体を緊締支持可能とて練習者の足場となる練習台の傾斜角度を固定することとしたので、少ない部品点数でかつ動力を必要とせずに確実に練習台を傾動を固定することができるゴルフ練習台であり、従来のゴルフ練習台のようにモータやシリンダーなどの動力源を全く必要とせず、従って設置に際して電気工事も不要であるなど場所を選ばず、経済性にも優れるなど、本発明は優れた効果を奏するものである。
【発明を実施するための最良の形態】
【００１０】
本発明を実施するための最良の形態について図１〜図６の図面を参照して説明する。本発明のゴルフ練習台装置１は、装置全体を支持する下部フレーム２と、この下部フレーム２に設けた台盤３を有する。台盤３にはその中央部から立ち上がる環状配置の支持枠４を立設する。一方、この環状配置の支持枠４の中央の台盤３上に上部を球面体２０と合致し、かつ、滑動状態の凹球面１９とする支台１８を配設する。そしてこの支台１８の凹球面１９の上に球面体２０を滑動可能に載置する。この球面体２０の上面２３は上部フレーム２４を固着し、この上部フレーム２４には人が乗って練習をする練習台２５を配設している。
【００１１】
さらに、支台１８上に載置した球面体２０の水平方向の最大径部２１の周囲に環状バンドブレーキ８を同じく水平方向に巻き回して配設している。環状バンドブレーキ８は球面体２０の最大径部２１を緊定して球面体２０がショットの練習時に不意に回動しないようにする。この環状バンドブレーキ８は上記の環状配置の支持枠４の上側と周方向及び中心方向に移動可能に連接されている。すなわち、支持枠４の上端から遠心方向に突出する係止片５を設け、この係止片５に遠心方向長孔６を開口し、一方、上記係止片５に重なって環状バンドブレーキ８の下端から遠心方向に突出する係止片１３を設け、この係止片１３に周方向長孔１４を開口し、両者の遠心方向長孔６と周方向長孔１４をボルト７ａおよびナット７ｂで移動自在に係止する。
【００１２】
さらに、環状バンドブレーキ８は対向配置した２枚の半環状鋼板９から形成した環状鋼板１０からなっている。これらの２枚の半環状鋼板９の一端１６は蝶番１５で中折れに曲折自在に接合されている。２枚の半環状鋼板９、９の他端１７はそれぞれの端部から直角に遠心方向に水平に延びる２本の棒鋼１２を配設している。さらに、台盤３の環状配置の支持枠４の外側部に縦方向挟着具２７を設ける。この縦方向挟着具２７は鉛直方向に上部が左右に離れ下方が互いに近接する２条の縦方向の長孔２８を開口して有する。２枚の半環状鋼板９の他端１７から遠心方向に延びる２本の棒鋼１２を上記の縦方向の長孔２８に挿通している。これらの支持枠４および環状バンドブレーキ８により球面体２０が側部へ揺動しないように保持している。さらに台盤３には縦方向挟着具２７を上下動する支桿３０の先端を支点２９として取り付けている。
【実施例１】
【００１３】
さらに詳細に実施例で説明する。一般構造用圧延鋼材であるＪＩＳ規格のＳＳ４００の厚さ３．２〜４．５ｍｍ厚の鋼板をプレス曲げしたものあるいは同鋼板の各パイプを使用して下部フレーム２を形成し、さらに、同鋼板から８００ｍｍ×８００ｍｍの台盤３を形成する。この台盤３の中央部にねじ止めによりナイロン樹脂からなる直径１５０〜２００ｍｍの柱状の支台１８を係止する。支台１８の上部はこの上に載置する球面体２０の球面に合わせた形状に凹球面１９とする。一方、上記の鋼材を成形加工して直径４００ｍｍの半球体の２個を得るために、鋼板をそれぞれへら絞り加工などにより半球面を有する半球体に成形する。次いで、これらの半球体を球状に寄せ合わせて溶接して球面体２０とする。得られた球面体２０は支台１８の凹球面１９の上に載置する。
【００１４】
さらに球面体２０の球面上部には上部フレーム２４を上記と同様に上記鋼板をプレス曲げしたものあるいは同鋼板の各パイプを使用して形成し、上部フレーム２４上に同鋼板の１３００ｍｍ×１２００ｍｍの練習台２５を形成し、球面体２０の球面上部に溶接あるいはボルト３４でボルト孔３５にねじ締めして固定する。さらに練習台２５の鋼板上には適宜滑り止めの凹凸模様を形成する。必要により適宜鋼板上にゴムなどの摩擦材をコーティングして滑り止めとする。
【００１５】
次いで、厚さ４．５ｍｍの上記の鋼板からなる、高さ２００ｍｍ、幅５０ｍｍの支持枠４を台盤３に溶接により直径４２０ｍｍの環状に均等配置して例えば６本を立設する。この環状配置した支持枠４の高さ２００ｍｍの上側には、環状バンドブレーキ８を設置する。この環状バンドブレーキ８は、上記と同じ鋼板から最大直径４１０ｍｍの半球体をへら絞り加工により成形し、その最大径部２１の５０ｍｍ幅を環状に残し、残余を捨て去って２個の環状鋼板を得る。これら２個の環状鋼板を対称的に上下に突き合わせて溶接し、幅１００ｍｍの環状鋼板１０を得て環状バンドブレーキ８の外周部とする。
【００１６】
この外周部の環状鋼板１０の対向する２か所を縦に切断し、その内の一方の切断部のそれぞれの一端１６どうしに蝶番１５を取り付け、環状バンドブレーキ８の外周部を径小とする中折れ方向に曲折自在に蝶番１５で接合する。一方の環状バンドブレーキ８の外周部の上記切断部のそれぞれの他端１７を環状バンドブレーキ８の外周部の締め付け部とする。この左右のそれぞれの他端１７に遠心方向かつ水平に突出する方向に長径１３ｍｍ、短径１０ｍｍの棒鋼１２の長径を縦方向にしてそれぞれ溶接により立設する。さらに環状バンドブレーキ８の外周部の内面に、ゴム及びタイヤコードなどの摩擦材からなる厚さ約５ｍｍ幅１００ｍｍの環状のブレーキライニングパッド１１をねじ締めにより取り付けて環状バンドブレーキ８とする。この環状バンドブレーキ８の他端１７から突出する棒鋼１２は突出長さが約５０ｍｍとし、この２本の棒鋼１２の間を、すなわち環状バンドブレーキ８の他端１７の両端部の間の円周方向の間隔を最大で約５０ｍｍとする。この状態で環状バンドブレーキ８は球面体２０の最大径部２１の周面とわずかの隙間をあけているので、球面体２０は回転自在となっている。
【００１７】
台盤３に立設の支持枠４に係止した環状バンドブレーキ８から１８５０ｍｍ外側の位置に、高さ７０ｍｍ、幅３５ｍｍの２枚の支持部材３１を対面状に間隔２５ｍｍをあけて立設する。この支持部材３１の上部を支点３２として前部に１８０ｍｍ、後部に３７０ｍｍの長さとする縦３０ｍｍ、横２０ｍｍからなる角棒を回転自在に軸支し、これを支桿３０とした。一方、環状バンドブレーキ８の外側に縦方向挟着具２７を配設し、縦方向挟着具２７の下端を支桿３０の前部先端に軸支する。さらに台盤３に支桿３０に副う延長部を外側に設け、この延長部に係止具３３を取り付け、支桿３０の後端部を下げた際に支桿３０の後端部に係止具３３を係合して支桿３０の後端部を固定して保持するものとする。一方、縦方向挟着具２７は縦長さ約１００ｍｍ、上部横幅６０ｍｍ、下部横幅３０ｍｍの大きさに形成し、縦方向挟着具２７の左右端部側にそれぞれ２条の縦方向の長孔２８を開口し、この２条の縦方向の長孔２８に環状バンドブレーキ８の締め付け部側の２本の棒鋼１２のそれぞれを挿通する。従って、２本の棒鋼１２が縦方向挟着具２７の長孔２８の上方部内にある時は、２本の棒鋼１２の間隔は約４０ｍｍとなり、環状バンドブレーキ８は球面体２０に対して緩んでいる。これに対し２本の棒鋼１２が縦方向挟着具２７の長孔２８の下方にある時は、２本の棒鋼１２の間隔は約１０ｍｍとなり、環状バンドブレーキ８は球面体２０側に引き寄せられて球面体２０を緊締して固定した状態に維持される。以上の構成から本発明の傾斜自在のゴルフ練習台装置１は形成されている。
【００１８】
次いで、この傾斜自在のゴルフ練習台装置１の操作方法を説明する。図４に見られるように、先ず、係止具３３を支桿３０から外して支桿３０の前部を下げることにより、縦方向挟着具２７を下方に引き下げる。この縦方向挟着具２７の引き下げにより、縦方向挟着具２７の長孔２８が下方に下がる。この結果、環状バンドブレーキ８の他端１７の２本の棒鋼１２の間隔は拡がり、環状バンドブレーキ８が緩み、環状バンドブレーキ８と球面体２０との間に隙間３６が生じ、球面体２０は回転自在となる。従って、この状態で球面体２０に固着した上部フレーム２４上の練習台２５の傾斜角度は、支台１８上で球面体２０の滑動に伴い、わずかな力を作用させることで容易に自在に変え得る状態となる。
【００１９】
そこでショット練習者は手で練習台２５を練習するショットの傾斜角度になるように傾動する。例えば図５に示すように、練習台２５を前後に傾動して傾斜角度を適宜好みに設定したり、あるいは図６に示すように、練習台２５を左右に傾動して傾斜角度を適宜好みに設定する。次いで、好みの角度に設定した時点で、図３に示すように支桿３０の後端部を押し下げることで、縦方向挟着具２７の長孔２８が上方に押し上げられ、長孔２８に拘束された棒鋼１２の間隔が狭まる。その結果、環状バンドブレーキ８のブレーキライニングパッド１１が球面体２０を締めつけ固定する。この状態で係止具３３を支桿３０の後端部に係止して保持する。これらの準備が終了すると、ショット練習者は練習台２５に乗ってショット練習を行う。
【００２０】
練習台２５は前後、左右に限らず、３６０度のすべての方向に自在に傾動し固定することができる。
【図面の簡単な説明】
【００２１】
【図１】一部破断して示す本発明の傾斜自在のゴルフ練習台装置の平面図を示す。
【図２】本発明の傾斜自在のゴルフ練習台装置の側面図である。
【図３】環状バンドブレーキを締めた状態を示す斜視図である。
【図４】環状バンドブレーキを緩めた状態のゴルフ練習台装置を透視して示す斜視図である。
【図５】練習台を前後に傾動する状態を示す斜視図である。
【図６】練習台を左右に傾動する状態を示す斜視図である。
【符号の説明】
【００２２】
１  ゴルフ練習台装置
２  下部フレーム
３  台盤
４  支持枠
５  係止片
６  遠心方向長孔
７ａ  ボルト
７ｂ  ナット
８  環状バンドブレーキ
９  半環状鋼板
１０  環状鋼板
１１  ブレーキライニングパッド
１２  棒鋼
１３  係止片
１４  円周方向長孔
１５  蝶番
１６  一端
１７  他端
１８  支台
１９  凹球面
２０  球面体
２１  最大径部
２２  下面
２３  上面
２４  上部フレーム
２５  練習台
２６  緊締具
２７  縦方向挟着具
２８  長孔
２９  支点
３０  支桿
３１  支持体
３２  支点
３３  係止具
３４  ボルト
３５  ボルト孔
３６  隙間
【図１】
2005278731.tif 000003
【図２】
2005278731.tif 000004
【図３】
2005278731.tif 000005
【図４】
2005278731.tif 000006
【図５】
2005278731.tif 000007
【図６】
2005278731.tif 000008